(57)【要約】【課題】  プリント処理中のマガジン交換作業をできるだけ減らして効率良くプリント処理できるようにする。【解決手段】  プリント部ＡにセットされているマガジンＭ、Ｍの種類を判別し、その判別されたマガジンＭ、Ｍでプリント可能なネット注文データを優先的にプリント処理するように、ハードディスク１８に記憶されているネット注文データのプリント処理順序を並べ替える。【選択図】  図３
2006106264.tif 000002
【特許請求の範囲】
【請求項１】
店頭で受注した店頭注文データをプリント処理する店頭注文処理モードと、電気通信回線を通じて受注したネット注文データをプリント処理するネット注文処理モードとの２種類の処理モードを有する写真処理システムであって、
前記店頭注文データ及びネット注文データをプリント出力するプリント部と、
前記プリント部にセットされているプリント用紙の種類を判別する用紙判別部と、
前記ネット注文データをプリント処理順に並べて格納するネット注文データ格納部と、
前記店頭注文処理モードにおいて前記プリント部にセットされているプリント用紙の種類の変更があった後、前記変更後のプリント用紙の種類を前記用紙判別部で判別させ、複数の前記ネット注文データのうち該判別されたプリント用紙でプリント可能なものを優先的にプリント処理するように前記ネット注文データ格納部内の該ネット注文データの処理順序を並べ替える処理制御部とを備えていることを特徴とする写真処理システム。
【請求項２】
店頭で受注した店頭注文データをプリント処理する店頭注文処理モードと、電気通信回線を通じて受注したネット注文データをプリント処理するネット注文処理モードとの２種類の処理モードを有する写真処理システムであって、
前記店頭注文データ及びネット注文データをプリント出力するプリント部と、
前記プリント部にセットされているプリント用紙の種類を判別する用紙判別部と、
前記ネット注文データをプリント処理順に並べて格納するネット注文データ格納部と、
前記店頭注文処理モードから前記ネット注文処理モードへ切り替わったときに、前記プリント部にセットされているプリント用紙の種類を前記用紙判別部で判別させ、複数の前記ネット注文データのうち該判別されたプリント用紙でプリント可能なものを優先的にプリント処理するように前記ネット注文データ格納部内の該ネット注文データの処理順序を並べ替える処理制御部とを備えていることを特徴とする写真処理システム。
【請求項３】
請求項１又は２に記載された写真処理システムにおいて、
前記処理制御部は、前記ネット注文処理モードにおけるプリント処理中に新たなネット注文データを受注した場合に、前記ネット注文データ格納部内にプリント処理順に並んで格納されている複数のネット注文データに対する該新たなネット注文データの挿入位置を前記用紙判別部の判別結果に基づいて検索して挿入するように構成されていることを特徴とする写真処理システム。
【請求項４】
請求項１乃至３のうち何れか１項に記載された写真処理システムにおいて、
前記処理制御部は、前記ネット注文処理モードにおけるプリント処理中の前記ネット注文データのプリント処理が終了したときに、該ネット注文処理モードから前記店頭注文処理モードへの処理モードの切り替えが可能となるように構成されていることを特徴とする写真処理システム。
【発明の詳細な説明】
【技術分野】
【０００１】
本発明は、受注した注文データをプリント処理する写真処理システムに関し、特に注文データの処理順序を変更する技術に関する。
【背景技術】
【０００２】
ＤＰ店でプリント処理のオーダーを受け付ける場合、その受付毎にプリントの仕上がり予定時刻を顧客（利用者）に伝えるのが普通であり、このように顧客に伝える仕上がり予定時刻はＤＰ店の営業上の方針から受付から３０分や１時間のように受付から短時間に設定されることが多い。そのため、特許文献１には、複数のオーダーのプリントを処理する場合に仕上がり時刻を考慮しながら能率的な処理を行うための写真処理装置が開示されている。
【０００３】
また、近年、店頭でプリント処理のオーダーを受け付ける以外にも、インターネット等を通じてオーダーを受け付けるネットオーダープリントサービスが普及している。これは、ユーザーがデジタルカメラで撮影した画像データをパソコン画面上で選択してインターネット経由でＤＰ店に送信し、受注したオーダーをＤＰ店でプリントアウトした後でユーザーが店頭まで受け取りにくるか、又は自宅に郵送するようにしたものである。
【０００４】
このような店頭注文とネット注文とを両方とも受け付けるＤＰ店では、これら２つの注文のプリント処理を、その処理モードを切り替えることにより１つの写真処理装置で行っている。具体的に、店頭注文データを処理するときには、その注文データをプリント処理するのに必要なプリント用紙の種類（サイズや光沢等）に応じたペーパーマガジンが写真処理装置にセットされているかをオペレータが確認して、セットされたマガジンに対応したオーダーから順に処理するか、又はオーダーを処理するのに適切なマガジンに交換して処理している。
【特許文献１】特開２００１−３５０２１３号公報
【発明の開示】
【発明が解決しようとする課題】
【０００５】
しかし、ネット注文データを処理するときには、基本的にオペレータが装置の前で待機することなく全自動で処理するようにしているため、プリント処理を効率良く行うためには、オペレータの手作業に頼らざるを得ないマガジン交換作業の頻度をできるだけ少なくする必要がある。
【０００６】
そこで、注文を受け付けた順番通りにプリント処理を行うのではなく、写真処理装置にセットされているマガジンでプリント可能なオーダーから処理するようにその処理順序を変更してプリント処理しているが、例えば、その処理途中で店頭注文データを処理するために店頭注文処理モードに一旦切り替え、店頭注文データの処理中にオペレータがマガジンを交換した場合、再びネット注文処理モードに戻して処理モード切替前のオーダー処理順序でプリント処理を行おうとしても、マガジン交換前の処理順序のままではマガジンが不適切である旨のエラーが出て装置が停止してしまい、作業効率が非常に悪くなっていた。
【０００７】
このように、店頭注文処理モードとネット注文処理モードという２つの処理モードを切り替えてプリント処理する写真処理装置では、一方の処理モードでマガジンの交換を行っても他方の処理モードではそのマガジン交換情報が反映されていなかった。
【０００８】
本発明は、かかる点に鑑みてなされたものであり、その目的とするところは、プリント処理中のマガジン交換作業をできるだけ減らして効率良くプリント処理できるようにすることにある。
【課題を解決するための手段】
【０００９】
前記目的を達成するため、本発明では、処理モードを切り替えたときにプリント装置にセットされているマガジンの種類を判別して、この判別結果に基づいてオーダーの並べ替えを行うようにした。
【００１０】
すなわち、請求項１の発明は、店頭で受注した店頭注文データをプリント処理する店頭注文処理モードと、電気通信回線を通じて受注したネット注文データをプリント処理するネット注文処理モードとの２種類の処理モードを有する写真処理システムであって、
前記店頭注文データ及びネット注文データをプリント出力するプリント部と、
前記プリント部にセットされているプリント用紙の種類を判別する用紙判別部と、
前記ネット注文データをプリント処理順に並べて格納するネット注文データ格納部と、
前記店頭注文処理モードにおいて前記プリント部にセットされているプリント用紙の種類の変更があった後、前記変更後のプリント用紙の種類を前記用紙判別部で判別させ、複数の前記ネット注文データのうち該判別されたプリント用紙でプリント可能なものを優先的にプリント処理するように前記ネット注文データ格納部内の該ネット注文データの処理順序を並べ替える処理制御部とを備えていることを特徴とする。
【００１１】
従って、本発明によれば、店頭注文処理モードにおいてプリント部にセットされているプリント用紙の種類の変更があった後、この変更後のプリント用紙の種類が用紙判別部で判別され、複数のネット注文データのうち該判別されたプリント用紙でプリント可能なものを優先的にプリント処理するようにネット注文データ格納部内の該ネット注文データの処理順序が処理制御部で並べ替えられる。
【００１２】
請求項２の発明は、店頭で受注した店頭注文データをプリント処理する店頭注文処理モードと、電気通信回線を通じて受注したネット注文データをプリント処理するネット注文処理モードとの２種類の処理モードを有する写真処理システムであって、
前記店頭注文データ及びネット注文データをプリント出力するプリント部と、
前記プリント部にセットされているプリント用紙の種類を判別する用紙判別部と、
前記ネット注文データをプリント処理順に並べて格納するネット注文データ格納部と、
前記店頭注文処理モードから前記ネット注文処理モードへ切り替わったときに、前記プリント部にセットされているプリント用紙の種類を前記用紙判別部で判別させ、複数の前記ネット注文データのうち該判別されたプリント用紙でプリント可能なものを優先的にプリント処理するように前記ネット注文データ格納部内の該ネット注文データの処理順序を並べ替える処理制御部とを備えていることを特徴とする。
【００１３】
従って、本発明によれば、店頭注文処理モードからネット注文処理モードに処理モードが切り替わったときに、プリント部にセットされているプリント用紙の種類が用紙判別部で判別され、複数のネット注文データのうち該判別されたプリント用紙でプリント可能なものを優先的にプリント処理するようにネット注文データ格納部内の該ネット注文データの処理順序が処理制御部で並べ替えられる。
【００１４】
請求項３の発明は、請求項１又は２に記載された写真処理システムにおいて、
前記処理制御部は、前記ネット注文処理モードにおけるプリント処理中に新たなネット注文データを受注した場合に、前記ネット注文データ格納部内にプリント処理順に並んで格納されている複数のネット注文データに対する該新たなネット注文データの挿入位置を前記用紙判別部の判別結果に基づいて検索して挿入するように構成されていることを特徴とする。
【００１５】
従って、本発明によれば、ネット注文処理モードにおけるプリント処理中に新たなネット注文データを受注した場合に、ネット注文データ格納部内の複数のネット注文データに対する該新たなネット注文データの挿入位置が用紙判別部の判別結果に基づいて検索されてその位置に該新たなネット注文データが挿入される。
【００１６】
請求項４の発明は、請求項１乃至３のうち何れか１項に記載された写真処理システムにおいて、
前記処理制御部は、前記ネット注文処理モードにおけるプリント処理中の前記ネット注文データのプリント処理が終了したときに、該ネット注文処理モードから前記店頭注文処理モードへの処理モードの切り替えが可能となるように構成されていることを特徴とする。
【００１７】
従って、本発明によれば、ネット注文処理モードにおけるプリント処理中の該ネット注文データのプリント処理が終了したときに、該ネット注文処理モードから店頭注文処理モードへの処理モードの切り替えが可能とされる。
【発明の効果】
【００１８】
以上のように、請求項１に係る発明によれば、店頭注文処理モードにおいてプリント部にセットされているプリント用紙の種類の変更があった後、変更後のプリント用紙の種類を判別してその判別結果に基づいてプリント処理順序を並べ替えるようにしているから、ネット注文処理モードにおいて注文データとプリント用紙との不適合を示すエラーの発生による装置の停止が最小限に抑えられ、効率の良いプリント処理を行うことができる。また、ネット注文データのプリント処理順序の並べ替えが、店頭注文処理モードにおいて完了するため、店頭注文処理モードからネット注文処理モードに切り替えた後、直ちにプリント処理を行うことができる。
【００１９】
請求項２に係る発明によれば、店頭注文処理モードからネット注文処理モードへと処理モードが切り替わったときに、プリント部にセットされているプリント用紙の種類を判別してその判別結果に基づいてプリント処理順序を並べ替えるようにしているから、ネット注文処理モードにおいて注文データとプリント用紙との不適合を示すエラーの発生による装置の停止が最小限に抑えられ、効率の良いプリント処理を行うことができる。
【００２０】
請求項３に係る発明によれば、新たなネット注文データが受付順に処理されるのではなく、プリント処理順に並んだ複数のネット注文データ間のどの位置に挿入するかをプリント部にセットされているプリント用紙の種類に基づいて決定して挿入するから、より効率的なプリント処理を行うことができる。さらに、このように挿入位置を検索してその位置に新たなネット注文データを挿入するようにした方が、新たなネット注文データを含めて再度全体の処理順序を並べ替える場合に比べて処理速度が速いため、プリント処理をより効率的に行うことができるという利点がある。
【００２１】
請求項４に係る発明によれば、ネット注文処理モードから店頭注文処理モードへの切り替えは、該ネット注文処理モードで現在処理中の注文データのプリント処理が終了したときに可能となるから、プリント処理中のデータを誤ってキャンセルしてしまい、店頭注文処理モードでマガジン交換したためにプリント処理中であったネット注文データのプリント処理の続きができなくなるという事態が回避できる。
【発明を実施するための最良の形態】
【００２２】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２３】
図１は、本発明の実施形態に係る写真処理システムである。図１に示すように、この写真処理システムは、銀塩印画紙（以下、印画紙１と称する）に対して露光及び現像処理を行うプリント部Ａと、このプリント部Ａに対して画像情報及び処理に必要な情報を転送する情報入力部Ｂ（写真処理装置の一例）とを備えて構成されている。
【００２４】
前記プリント部Ａは、筐体の上面に載置された２つの印画紙マガジンＭ、Ｍと、この印画紙マガジンＭ、Ｍから送られた印画紙１をプリントサイズに切断して搬送する搬送系と、このように切断された印画紙１に対して画像情報の露光を行う露光部Ｅｘと、この露光部Ｅｘで露光された印画紙１の現像処理を行う複数の現像処理槽を有した現像処理部Ｄｅと、この現像処理部Ｄｅで現像処理された印画紙１を乾燥する乾燥部Ｄｒと、この乾燥部Ｄｒで乾燥された後に装置上面に送り出された印画紙１を横送りコンベア２を介して複数のトレイ３ｔに対してオーダー単位で回収するソータ３とを備えている。
【００２５】
前記印画紙マガジンＭ、Ｍは、印画紙１のプリントサイズや種類の変更に対応するために異なる種類のロール状印画紙が内装されている。具体的に、２つのマガジンＭ、Ｍの印画紙１の切換えを行う際には、それまで使用していた印画紙１の先端をマガジン内に巻き戻し、他方のマガジンＭからの印画紙１を筐体の内部に送り出す制御が行われる。
【００２６】
また、プリント部Ａにセットされた２つの印画紙マガジンＭ、Ｍと異なる印画紙１を使用する場合には、印画紙マガジンＭの取り替えを必要とする。具体的に、Ｌサイズ（８９×１２７ミリメートル）のプリントを行う際には１２７ミリメートル幅の印画紙を収納した印画紙マガジンＭを用い、Ｅサイズ（８４×１１７ミリメートル）のプリントを行う際には１１７ミリメートル幅の印画紙を収納した印画紙マガジンＭを用いる。
【００２７】
このプリント部Ａでは、２つの印画紙マガジンＭ、Ｍのうちの一方からの印画紙１を筐体内部に送り出し、この印画紙１をプリントサイズに切断し、前記露光部Ｅｘに備えられた図示しない露光ヘッド（蛍光ビーム方式、液晶シャッター方式、ＤＭＤ方式、又はＦＯＣＲＴ方式等）に供給し、この露光ヘッドによって露光を行うものとなっている。
【００２８】
前記情報入力部Ｂは、情報を処理するためのマイクロプロセッサを備えた汎用コンピュータ５と、情報を表示するディスプレイ６と、情報を入力するキーボード７と、ポインティング手段としてのマウス８と、バーコード読取り器９と、デジタルスチルカメラ１０で撮影されたスマートメディアやコンパクトフラッシュ（登録商標）等のメモリカード１１の画像情報を読み取るメディアリーダ１２と、インターネット等の電気通信回線に接続してネット注文を受注するための外部ネットワーク接続機器１３とを備えている。
【００２９】
さらに、前記情報入力部Ｂは、取込んだ画像情報のカラーバランスの補正や明るさの補正やコントラストの補正等の処理を行うようにソフトウエアやハードウエア、あるいは、これらを組み合わせてなる画像処理手段を備えており、プリントに先立って取込んだ画像情報を自動、又はオペレータの操作に基づいて補正できるようになっている。
【００３０】
ここで、前記バーコード読取り器９は、顔写真、メンバーの氏名、バーコード化された顧客情報がプリントされたメンバーズカード１９のバーコードを読み取る際に使用されるものであり、このメンバーズカード１９として、磁気式に顧客情報を記録することやキーワードを記録しておく等の構造を採用することにより顧客を特定できるものを用いることも可能である。
【００３１】
図２は、本発明の実施形態に係る写真処理システムの構成を示すブロック図である。図２に示すように、情報入力部Ｂの汎用コンピュータ５に内蔵された処理装置１７（処理制御部）に対して、キーボード７、マウス８、バーコード読取り器９、メディアリーダ１２、外部ネットワーク接続機器１３からの信号が入力する系が形成されるとともに、ディスプレイ６に対する出力系が形成され、又、ハードディスク１８（ネット注文データ格納部）に対するアクセス系、プリント部Ａに対するアクセス系が形成されている。
【００３２】
ここで、キーボード７やマウス８からはオペレーターの人為操作に基づくオーダー情報（印刷枚数、プリントサイズ、プリント用紙の光沢等）が入力され、バーコード読取り器９からはメンバーズカード１９のバーコードの情報に基づいて顧客情報が入力され、メディアリーダ１２からは画像情報が入力され、外部ネットワーク接続機器１３からは画像情報及びオーダー情報が入力される。
【００３３】
また、記憶手段としてのハードディスク１８に対しては注文データや画像情報等の情報がアクセスされ、プリント部Ａからは、セットされているマガジンＭの種類や現在印画紙を送り込んでいるマガジンＭを示すマガジン情報が入力される。
【００３４】
この写真処理システムでは、店頭で受注した店頭注文データをプリント処理する店頭注文処理モードと、インターネット等を通じて受注したネット注文データをプリント処理するネット注文処理モードとの２種類の処理モードを行うプログラムが情報入力部Ｂにセットされている。
【００３５】
具体的に、前記店頭注文処理モードでは、店頭で顧客から受け取ったメモリカード１１をメディアリーダ１２で読み取り、その画像情報をハードディスク１８内の店頭注文データ記憶領域に記憶する。そして、オペレータがプリント部ＡにセットされているマガジンＭ、Ｍの種類を確認して、このマガジンＭ、Ｍでプリント可能なオーダーから順にプリント処理するようにするか、又はオーダーを処理するのに適切なマガジンＭ、Ｍに交換してプリント処理を行うようにしている。
【００３６】
また、このシステムでは、顧客からプリント処理の依頼があった画像情報をハードディスク１８に一定期間保存しておき、メンバーズカード１９を示して、プリントの依頼があった場合には、情報入力部Ｂから、このメンバーズカード１９のバーコードに基づいて顧客を確認した後に、情報入力部Ｂのハードディスク１８に保存された画像情報をサムネイルの形でディスプレイ６に表示し、この画像情報のうち顧客が指定したもののプリントの受付も可能となっている。
【００３７】
一方、前記ネット注文処理モードでは、図３のフローチャート図に示すように、まず、ステップＳ１０１で、インターネット等から外部ネットワーク接続機器１３を通じてネット注文データを受注してその情報をハードディスク１８内のネット注文データ記憶領域に記憶する。
【００３８】
次に、ステップＳ１０２で、プリント部ＡにセットされているマガジンＭ、Ｍの種類を用紙判別部（図示せず）によって判別する。このようなマガジンの種類の判別は、プリント部Ａの起動時に行うことはもちろん、店頭注文処理モードにおいてマガジンＭ、Ｍの変更があった場合にその都度行うようにしている。
【００３９】
なお、マガジンの種類の判別のタイミングは上述したような場合に限らず、例えば、店頭注文処理モードにおいてマガジンＭ、Ｍを変更した後、所定時間が経過したときに判別するようにしても良いし、あらかじめマガジンの判別を行う時刻を設定しておき、設定した時刻になったら判別をするようにしても良いし、マガジンの判別を行う時間間隔を設定しておき、その時間間隔毎に判別を行うようにしても良い。また、店頭注文処理モードからネット注文処理モードへ切り替えたときに行うようにしても良い。
【００４０】
ステップＳ１０３で、この判別したマガジンＭ、Ｍでプリント可能なオーダーを優先的にプリント処理するように、ハードディスク１８内のネット注文データ記憶領域に記憶されたオーダーのプリント処理順序を並べ替える。ステップＳ１０４で、プリント処理順序の先頭のオーダーからプリント処理を行う。
【００４１】
そして、ステップＳ１０５で、ハードディスク１８内にプリント処理すべきオーダーが残っているかを判定する。ステップＳ１０５での判定が「ＹＥＳ」の場合には、ステップＳ１０４に分岐して、ステップＳ１０４で、再びプリント処理を行う。ステップＳ１０５での判定が「ＮＯ」の場合には、プリントすべきオーダーがなくなったと判断してプリント処理を終了する。
【００４２】
このように、ネット注文処理モードでは、オーダーの受付順にプリント処理を行うのではなく、セットされているマガジンＭ、Ｍでプリント可能なオーダーから優先的にプリント処理するようにして、マガジンＭ、Ｍの交換頻度を最小限に抑えて作業効率を向上させるようにしている。さらに、このようなオーダーの処理順序をディスプレイ６に表示するようにしておくと、オーダーの処理状況をオペレータが把握しやすくなるため好ましい。
【００４３】
図４は、ネット注文データのオーダーを受付順に並べた状態を示す図であり、図５は、オーダーのプリント処理順序を並べ替えた状態を示す図である。
【００４４】
図４において、例えば“Ａ”と記載されたブロックは、“Ａ”という印画紙が内装されたマガジンがプリント部Ａにセットされている場合にプリント処理可能なオーダーであることを示している。図４では、オーダーＮｏ．１〜８のプリントすべきオーダーが受付順に並んでハードディスク１８のネット注文データ記憶領域に記憶されており、オーダーＮｏ．１の“Ａ”という注文データから順番にプリント処理が行われる。
【００４５】
ここで、例えば、プリント部Ａに“Ａ”や“Ｃ”という印画紙がそれぞれ内装されたマガジンがセットされている場合、オーダーＮｏ．１の“Ａ”という注文データがプリント処理された後、続いてオーダーＮｏ．２の“Ｂ”という注文データがプリント処理されるのであるが、プリント部Ａには“Ｂ”という印画紙が内装されたマガジンがセットされていないため、ディスプレイ６にマガジン交換エラーが表示され、装置が停止することとなる。
【００４６】
このようなマガジン交換エラーを最小限に抑えるため、本実施形態では受け付けたオーダーのプリント処理順序を変更するようにしている。具体的には、図５に示すように、例えばプリント部Ａに“Ａ”や“Ｃ”という印画紙がそれぞれ内装されたマガジンがセットされている場合、この“Ａ”及び“Ｃ”のマガジンでプリント処理可能なオーダーを優先的にプリント処理するようにオーダーの処理順序を並べ替える。この並べ替えにより、オーダーＮｏ．８のように“Ａ”や“Ｃ”を含むオーダーがプリント処理順序の上位に位置するようになる。
【００４７】
なお、図５では、“Ａ”という注文データを含むオーダーが処理順序の上位に位置するように昇順で並べ替えが行われているが、これに限定されず、オペレータが任意に昇順と降順を設定することができるようになっている。
【００４８】
これにより、オーダーＮｏ．１の“Ａ”という注文データがプリント処理された後、オーダーＮｏ．８がプリント処理され、続いてオーダーＮｏ．３がプリント処理されるというように、図４で説明したオーダーの受付順に処理した場合に比べて、マガジン交換エラーが表示されるまでの時間が長くなる。すなわち、オペレータの手間が軽減されるとともに、写真処理装置が停止するまでの時間間隔が長くなるため、効率良くプリント処理を行うことができる。
【００４９】
なお、このような２種類の処理モードの切り替えは情報入力部Ｂにより行われるが、ネット注文処理モードから店頭注文処理モードへの処理モードの切り替えの際には、ネット注文処理モードにおいてオーダーがプリント処理中であれば、そのオーダーのプリント処理が終了するまでは切り替えが行えないようになっている。
【００５０】
これは、プリント処理中に処理モードを切り替えてしまうと、プリント中のオーダーがプリント処理途中でキャンセル扱いとなって印画紙が無駄になるおそれがあり、さらに、店頭注文処理モードにおいて前述したマガジンＭの交換があった場合には、再度店頭注文処理モードからネット注文処理処理モードへ戻すと、プリント処理途中であったオーダーのプリント再開時にマガジン交換エラーが発生してしまうおそれがあるからである。
【００５１】
次に、ネット注文データをプリント処理している途中で新たなネット注文データを受注したときの処理について説明する。従来のようにオーダーを受付順にプリント処理する場合には、図６に示すように、新たに受注した“Ａ”という注文データは、オーダーＮｏ．８の後ろに自動的に追加されることとなる。
【００５２】
しかし、プリント部Ａに“Ａ”や“Ｃ”という印画紙がそれぞれ内装されたマガジンがセットされている場合には、この新たに受注した“Ａ”という注文データが優先的にプリント処理できるオーダーであるにもかかわらず最後にプリント処理されることとなり、非常に作業効率が悪くなるという問題があった。
【００５３】
そこで、本実施形態では、このような問題を解消するため、図７に示すフローチャート図に基づいた処理を行っている。図７に示すように、ステップＳ２０１で、新たなネット注文データを受注し、ステップＳ２０２で、プリント部ＡにセットされているマガジンＭ、Ｍの種類を用紙判別部（図示せず）で判別する。
【００５４】
そして、ステップＳ２０３で、新たな注文データをハードディスク１８に記憶されている複数のオーダー間のどの位置に挿入するかをステップＳ２０２でのマガジンの判別結果に基づいて検索する。具体的に、この新たな注文データのプリント処理に必要なマガジンがプリント部Ａにセットされていればそのオーダーを優先的に処理すべくその処理順序を上位にし、プリント処理に必要なマガジンがセットされていなければそのオーダーの優先順位を下げて後回しに処理するように挿入位置を検索する。
【００５５】
ステップＳ２０４で、ステップＳ２０３で検索された位置に新たな注文データを挿入する。図８に示す例では、新たな注文データ“Ａ”がオーダーＮｏ．１とＮｏ．８との間に挿入されている。ステップＳ２０５で、プリント処理順序の先頭のオーダーからプリント処理を行う。
【００５６】
そして、ステップＳ２０６で、新たなネット注文データを受注したか否かを判定する。ステップＳ２０６での判定が「ＹＥＳ」の場合には、ステップＳ２０１に分岐して、この新たなネット注文データの挿入位置を検索する処理を行う。ステップＳ２０６での判定が「ＮＯ」の場合には、ステップＳ２０７に分岐する。
【００５７】
ステップＳ２０７で、ハードディスク１８内にプリント処理すべきオーダーが残っているかを判定する。ステップＳ２０７での判定が「ＹＥＳ」の場合には、ステップＳ２０５に分岐して、ステップＳ２０５で、プリント処理順序の先頭のオーダーから再びプリント処理を行う。ステップＳ２０７での判定が「ＮＯ」の場合には、プリントすべきオーダーがなくなったと判断してプリント処理を終了する。
【００５８】
なお、本発明の実施形態に係る写真処理システムは、上述した実施形態以外に、例えば、プリント部に昇華型やインクジェット型のプリント装置を備えることが可能であり、又、プリント部が銀塩印画紙に対してデジタル信号に基づいて露光を行う露光ヘッドと、写真フィルムからの画像情報を光学レンズを介して露光する投影露光系とを備えた構造のものに適用することも可能である。そして、このように露光ヘッドと、投影露光系とを備えたプリント部を構成した場合にはシステムの汎用性が向上するものとなる。
【００５９】
また、前記実施形態では、ＬサイズとＥサイズとを例に挙げて説明したが、これらのサイズ以外に、２Ｌサイズを含めた処理や、半光沢のプリントペーパを用いた処理に適用するように構成することも可能である。さらに、現像処理液の種類に基づいて処理順序を設定するよう処理形態を設定することも可能である。
【産業上の利用可能性】
【００６０】
以上説明したように、本発明は、プリント処理中のマガジン交換作業をできるだけ減らして効率良くプリント処理できるできるという実用性の高い効果が得られることから、きわめて有用で産業上の利用可能性は高い。
【図面の簡単な説明】
【００６１】
【図１】本発明の実施形態に係る写真処理システムの構成を示す図である。
【図２】本実施形態に係る写真処理システムの構成を示すブロック図である。
【図３】ネット注文処理モードにおける処理手順を示すフローチャート図である。
【図４】ネット注文データのオーダーを受付順に並べた状態を示す図である。
【図５】オーダーのプリント処理順序を並べ替えた状態を示す図である。
【図６】ネット注文データのオーダーを受付順に並べた状態で新たなオーダーを挿入する位置を示す図である。
【図７】新たなネット注文データを受注したときの処理手順を示すフローチャート図である。
【図８】オーダーのプリント処理順序を並べ替えた状態で新たなオーダーを挿入する位置を示す図である。
【符号の説明】
【００６２】
１    印画紙（プリント用紙）
１０    デジタルスチルカメラ
１１    メモリカード
１２    メディアリーダ
１３    外部ネットワーク接続機器
１８    ハードディスク（ネット注文データ格納部）
Ａ    プリント部
Ｂ    情報入力部
【図１】
2006106264.tif 000003
【図２】
2006106264.tif 000004
【図３】
2006106264.tif 000005
【図４】
2006106264.tif 000006
【図５】
2006106264.tif 000007
【図６】
2006106264.tif 000008
【図７】
2006106264.tif 000009
【図８】
2006106264.tif 000010